(57)【要約】【課題】従来とは異なり、外壁に庇を設置したり、軒の出を大きく取ったりせずに縁台を設けることができ、しかも、降雨時における縁台の雨仕舞の向上や、夏の高度の高い太陽の日射を効果的に遮光することが可能な建物の提供。【解決手段】上階部１０と下階部２０とを備え、これら上下階部１０、２０にわたる外壁面の一部が他の外壁面よりも室内側に後退した凹部１を有する建物Ａであり、前記凹部１は、互いに対向する二つの外壁面１ａ、１ａと、これら二つの外壁面１ａ、１ａに挟まれた中央外壁面１ｂとからなり、前記凹部１には、前記上階部１０の中央外壁面１ｂに面して、前記上階部１０と下階部２０とに跨るように外壁から室外へ張り出したバルコニー２と、前記下階部２０の中央外壁面１ｂに面して、前記互いに対向する二つの外壁面１ａ、１ａどうし間に配置される縁台３とが設けられている。【選択図】図３
2007092415.tif 000002
【特許請求の範囲】
【請求項１】
上階部と下階部とを備え、これら上下階部にわたる外壁面の一部が他の外壁面よりも室内側に後退した凹部を有する建物において、
前記凹部は、互いに対向する二つの外壁面と、これら二つの外壁面に挟まれた中央外壁面とからなり、
前記凹部には、前記上階部の中央外壁面に面して、前記上階部と下階部とに跨るように外壁から室外へ張り出したバルコニーと、前記下階部の中央外壁面に面して、前記互いに対向する二つの外壁面どうし間に配置される縁台とが設けられていることを特徴とする建物。
【請求項２】
請求項１に記載の建物において、
前記上階部の中央外壁面および下階部の中央外壁面の双方に窓が設けられていることを特徴とする建物。
【請求項３】
請求項２に記載の建物において、
前記バルコニーの下端部と、前記下階部の窓の上端部とは、ほぼ同様の高さ位置となるように設けられていることを特徴とする建物。
【請求項４】
請求項１〜３のいずれか一項に記載の建物において、
前記バルコニーの下部には、このバルコニーの床と、この床の周縁部下方に取り付けられる外壁と、この外壁の下端部に取り付けられる軒天井と、前記下階部の中央外壁面とに囲まれた空間が形成されており、この空間が収納部となっていることを特徴とする建物。
【請求項５】
請求項４に記載の建物において、
前記収納部に、前記下階部の窓を覆うシャッター装置が収納されていることを特徴とする建物。
【発明の詳細な説明】
【技術分野】
【０００１】
本発明は、上階部と下階部とを備え、これら上下階部にわたる外壁面の一部が他の外壁面よりも室内側に後退した凹部を有する建物に関する。
【背景技術】
【０００２】
例えば、大都市圏において住宅等の建物を建築する場合、一般に、敷地面積がさほど広くないために建蔽率の制限いっぱいに建築する場合がある（例えば、特許文献１参照）。
このような建物によれば、敷地に対して許される範囲内で建物の建築面積を少しでも広く確保することができるようになっている。
【特許文献１】特開２００５−０２３６６５号公報
【発明の開示】
【発明が解決しようとする課題】
【０００３】
ところで、住宅等の建物に縁台を設ける際に、建物の外壁に庇を設置したり、屋根の軒の出を大きく取ったりすることによって、縁台部分の屋根を兼ねる場合がある。
しかし、上記特許文献１に記載の建物のように建物を建てるための敷地が狭い場合、庇を取り付けたり、屋根の軒の出を大きく取ったりすると、これらが隣地と干渉してしまう場合があった。
【０００４】
その上、外壁に庇を取り付けたり、屋根の軒の出を大きく取ったりすることができない場合、例えば、降雨時における雨水の浸入や雨仕舞の低下、また、夏の高度の高い太陽による日射の効果的な遮光等ができない場合もあり、以上のような問題を解決し得る技術の開発が望まれていた。
【０００５】
本発明の課題は、従来とは異なり、外壁に庇を設置したり、軒の出を大きく取ったりせずに縁台を設けることができ、しかも、降雨時における縁台の雨仕舞の向上や、夏の高度の高い太陽の日射を効果的に遮光することが可能な建物を提供することを目的とする。
【課題を解決するための手段】
【０００６】
請求項１に記載の発明は、例えば図１〜図３に示すように、上階部１０と下階部２０とを備え、これら上下階部１０、２０にわたる外壁面の一部が他の外壁面よりも室内側に後退した凹部１を有する建物Ａにおいて、
前記凹部１は、互いに対向する二つの外壁面１ａ、１ａと、これら二つの外壁面１ａ、１ａに挟まれた中央外壁面１ｂとからなり、
前記凹部１には、前記上階部１０の中央外壁面１ｂに面して、前記上階部１０と下階部２０とに跨るように外壁から室外へ張り出したバルコニー２と、前記下階部２０の中央外壁面１ｂに面して、前記互いに対向する二つの外壁面１ａ、１ａどうし間に配置される縁台３とが設けられていることを特徴とする。
【０００７】
請求項１に記載の発明によれば、外壁面の一部が他の外壁面よりも室内側に後退した凹部１を有しているので、この凹部１を構成する前記互いに対向する二つの外壁面１ａ、１ａどうし間に縁台３を配置することができる。これによって、敷地に対して許される範囲内で建物Ａを建築する際にも、前記縁台３を設けることが可能となる。
また、前記凹部１に、前記上階部１０と下階部２０とに跨るように外壁から室外へ張り出したバルコニー２が設けられているので、このバルコニー２が、下部に位置する前記縁台３の屋根として機能する。
すなわち、前記バルコニー２および縁台３は、双方とも前記凹部１に設けられているが、一方の前記バルコニー２は前記上階部１０と下階部２０とに跨るように外壁から室外へ張り出しており、他方の前記縁台３は前記互いに対向する二つの外壁面１ａ、１ａどうし間に配置されているので、バルコニー２に対して前記縁台３は建物Ａ側に奥まった状態となっている。これによって、降雨時における縁台３への雨水の浸入を低減することができ、雨仕舞の向上を図ることが可能となる。
さらに、バルコニー２に対して前記縁台３は建物Ａ側に奥まった状態となっていることによって、夏の高度の高い太陽の日射を前記バルコニー２よって効果的に遮光することができるので、前記縁台３および室内の快適性を向上することが可能となる。
また、前記縁台３は、前記凹部１に設けられて前記互いに対向する二つの外壁面１ａ、１ａどうし間に配置されるとともに、前記バルコニー２が屋根として機能するので、風雨に晒される機会が減少して耐久性を維持することが可能となり、風雨に晒される場合に比して長期間使用することができる。
【０００８】
請求項２に記載の発明は、例えば図１〜図３に示すように、請求項１に記載の建物Ａにおいて、
前記上階部１０の中央外壁面１ｂおよび下階部２０の中央外壁面１ｂの双方に窓１０ａ、２０ａが設けられていることを特徴とする。
【０００９】
請求項２に記載の発明によれば、前記上階部１０の中央外壁面１ｂおよび下階部２０の中央外壁面１ｂの双方に窓１０ａ、２０ａが設けられているので、室内と前記バルコニー２との行き来、また、室内と前記縁台３との行き来がし易い。
また、前記下階部２０の中央外壁面１ｂに設けられた窓２０ａを開放することによって、外部から室内へと外気が流入するので、前記縁台３が外気の通過点となり、特に、夏場における快適性が向上する。
【００１０】
請求項３に記載の発明は、例えば図３に示すように、請求項２に記載の建物Ａにおいて、
前記バルコニー２の下端部と、前記下階部２０の窓２０ａの上端部とは、ほぼ同様の高さ位置となるように設けられていることを特徴とする。
【００１１】
請求項３に記載の発明によれば、前記バルコニー２の下端部と、前記下階部２０の窓２０ａの上端部とが、ほぼ同様の高さ位置となっているので、夏の高度の高い太陽の日射を前記バルコニー２よって効果的に遮光することができる。
すなわち、前記バルコニー２の下端部と、前記下階部２０の窓２０ａの上端部との距離が短くなっており、この距離が短い分、前記バルコニー２の最も張り出した部分と前記下階部２０の窓２０ａとの角度が急になる。これによって、高度の高い位置にある太陽ほど日射が届かないようになるので、特に夏の高度の高い太陽の日射を前記バルコニー２よって効果的に遮光することができる。
【００１２】
請求項４に記載の発明は、例えば図３に示すように、請求項１〜３のいずれか一項に記載の建物Ａにおいて、
前記バルコニー２の下部には、このバルコニー２の床２ａと、この床２ａの周縁部下方に取り付けられる外壁２ｄと、この外壁２ｄの下端部に取り付けられる軒天井２ｅと、前記下階部２０の中央外壁面１ｂとに囲まれた空間が形成されており、この空間が収納部２ｆとなっていることを特徴とする。
【００１３】
請求項４に記載の発明によれば、前記バルコニー２の下部に形成された空間が収納部２ｆとなっているので、前記上階部１０と下階部２０とに跨るように設けられたバルコニー２の下部を有効に利用することが可能となる。
すなわち、建物Ａの外部に収納すべき物品の収納場所を確保する際に、前記バルコニー２の下部に形成された空間を収納部２ｆとして用いることができるので、この収納部２ｆに、前記建物Ａの外部に収納すべき物品を収納することができる。したがって、バルコニー２の下部を有効に利用することが可能となる。
【００１４】
請求項５に記載の発明は、例えば図３に示すように、請求項４に記載の建物Ａにおいて、
前記収納部２ｆに、前記下階部２０の窓２０ａを覆うシャッター装置４が収納されていることを特徴とする。
【００１５】
請求項５に記載の発明によれば、前記収納部２ｆに、前記下階部２０の窓２０ａを覆うシャッター装置４が収納されているので、前記下階部２０の中央外壁面１ｂの付近にシャッター装置４を設置するためのスペースを新たに設ける必要が無く、しかも、建物Ａの外観を良好なものとすることができる。
【発明の効果】
【００１６】
本発明によれば、建物の外壁面の一部が他の外壁面よりも室内側に後退した凹部を有しているので、互いに対向して凹部を構成する二つの外壁面どうし間に縁台を配置することができる。これによって、敷地に対して許される範囲内で建物を建築する際にも、前記縁台を設けることが可能となる。
また、前記凹部に、建物の上階部と下階部とに跨るように外壁から室外へ張り出したバルコニーが設けられているので、このバルコニーが、下部に位置する前記縁台の屋根として機能する。
すなわち、前記バルコニーおよび縁台は、双方とも前記凹部に設けられているが、一方の前記バルコニーは前記上階部と下階部とに跨るように外壁から室外へ張り出しており、他方の前記縁台は前記互いに対向する二つの外壁面どうし間に配置されているので、バルコニーに対して前記縁台は建物側に奥まった状態となっている。
これによって、降雨時における縁台への雨水の浸入を低減することができ、雨仕舞の向上を図ることが可能となる。
さらに、バルコニーに対して前記縁台は建物側に奥まった状態となっていることによって、夏の高度の高い太陽の日射を前記バルコニーよって効果的に遮光することができるので、前記縁台および室内の快適性を向上することが可能となる。
そして、前記バルコニーの下部に形成された空間を収納部とすることで、前記上階部と下階部とに跨るように設けられたバルコニーの下部を有効に利用することが可能となる。
【発明を実施するための最良の形態】
【００１７】
以下、図面を参照して本発明に係る建物Ａの実施の形態について説明する。
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１８】
本実施の形態の建物Ａは、図１〜図３に示すように、上階部１０と下階部２０とを備え、これら上下階部１０、２０にわたる外壁面の一部が他の外壁面よりも室内側に後退した凹部１を有するものであり、
前記凹部１は、互いに対向する二つの外壁面１ａ、１ａと、これら二つの外壁面１ａ、１ａに挟まれた中央外壁面１ｂとからなり、
前記凹部１には、前記上階部１０の中央外壁面１ｂに面して、前記上階部１０と下階部２０とに跨るように外壁から室外へ張り出したバルコニー２と、前記下階部２０の中央外壁面１ｂに面して、前記互いに対向する二つの外壁面１ａ、１ａどうし間に配置される縁台３とが設けられている。
【００１９】
ここで、前記上階部１０は、図１に示すように、前記下階部２０からの階段１１やトイレ１２等の共用部分の他に三つの部屋が設けられ、第１の部屋１３は収納部１３ａを備えており、第２および第３の部屋１４、１５は隣り合って形成されているとともに前記バルコニー２を備えている。すなわち、前記第２および第３の部屋１４、１５の外壁面は、他の外壁面よりも室内側に後退した凹部１を有するものである。
【００２０】
また、前記下階部２０は、図２に示すように、玄関ポーチ２１ａ、玄関土間２１ｂ、土間収納室２１ｃからなる玄関部２１と、この玄関部２１に隣接するリビング２２ａ、ダイニング２２ｂおよびキッチン２２ｃからなる共用居住空間２２と、和室２３、前記上階部１０へと続く階段１１、さらには浴室２４ａ、トイレ２４ｂ、洗面室２４ｃからなる水回り室２４等が設けられている。
そして、前記共用居住空間２２と和室２３とが隣り合って形成されているとともに前記縁台３を備えている。すなわち、前記共用居住空間２２および和室２３の外壁面は、他の外壁面よりも室内側に後退した凹部１を有するものである。
【００２１】
なお、前記上階部１０および下階部２０にわたる凹部１を有する外壁面と異なる他の外壁面は、図１および図２に示すように、ほぼ平らに形成されている。
【００２２】
次いで、前記凹部１は、上述したように、互いに対向する二つの外壁面１ａ、１ａと、これら二つの外壁面１ａ、１ａに挟まれた中央外壁面１ｂとからなり、さらには前記上階部１０の中央外壁面１ｂおよび下階部２０の中央外壁面１ｂの双方に窓１０ａ、２０ａが設けられている。
そして、このように窓１０ａ、２０ａが設けられているので、室内と前記バルコニー２との行き来、また、室内と前記縁台３との行き来がし易く、また、前記下階部２０の中央外壁面１ｂに設けられた窓２０ａを開放することによって、外部から室内へと外気が流入するので、前記縁台３が外気の通過点となり、特に、夏場における快適性が向上する。
【００２３】
また、前記バルコニー２は、図１および図３に示すように、前記上階部１０の中央外壁面１ｂに面して、前記上階部１０と下階部２０とに跨るように外壁から室外へ張り出しており、前記上階部１０の窓１０ａの下端部よりも若干低い位置に床２ａが設けられ、この床２ａの周縁部上方に沿って周壁２ｂおよび手摺２ｃが設けられている。
【００２４】
さらに、このバルコニー２の下部には、前記バルコニー２の床２ａと、この床２ａの周縁部下方に取り付けられる外壁２ｄと、この外壁２ｄの下端部に取り付けられる軒天井２ｅと、前記下階部２０の中央外壁面１ｂとに囲まれた空間が形成されており、この空間が収納部２ｆとなっている。
そして、このように前記バルコニー２の下部に形成された空間が収納部２ｆとなっているので、前記上階部１０と下階部２０とに跨るように設けられたバルコニー２の下部を有効に利用することが可能となる。
すなわち、建物Ａの外部に収納すべき物品の収納場所を確保する際に、前記バルコニー２の下部に形成された空間を収納部２ｆとして用いることができるので、この収納部２ｆに、前記建物Ａの外部に収納すべき物品を収納することができる。したがって、バルコニー２の下部を有効に利用することが可能となっている。
【００２５】
また、前記バルコニー２の下部の収納部２ｆには、図３に示すように、前記下階部２０の窓２０ａを覆うシャッター装置４が収納されている。このように前記収納部２ｆに、前記下階部２０の窓２０ａを覆うシャッター装置４を収納することで、前記下階部２０の中央外壁面１ｂの付近にシャッター装置４を設置するためのスペースを新たに設ける必要が無く、しかも、建物Ａの外観を良好なものとすることができる。
【００２６】
なお、本実施の形態では、上述したように前記収納部２ｆにシャッター装置４を収納したが、これに限られるものではなく、例えば、夏場の日射を防ぐための簾等を収納しても良い。さらに、この収納部２ｆの取り出し口を上方もしくは下方のどちらに設けても良い。これらは本発明の趣旨を逸脱しない範囲で適宜変更可能であることは言うまでもない。
【００２７】
そして、前記バルコニー２の下端部と、前記下階部２０の窓２０ａの上端部とは、ほぼ同様の高さ位置となるように設けられている。このように前記バルコニー２の下端部と、前記下階部２０の窓２０ａの上端部とが、ほぼ同様の高さ位置となっていることで、夏の高度の高い太陽の日射を前記バルコニー２よって効果的に遮光することができるようになっている。
すなわち、前記バルコニー２の下端部と、前記下階部２０の窓２０ａの上端部との距離が短くなっており、この距離が短い分、前記バルコニー２の最も張り出した部分と前記下階部２０の窓２０ａとの角度が急になる。これによって、高度の高い位置にある太陽ほど日射が届かないようになるので、特に夏の高度の高い太陽の日射を前記バルコニー２よって効果的に遮光することが可能となる。
【００２８】
一方、前記縁台３は、図２および図３に示すように、その床板部３ａが前記下階部２０の窓２０ａの下端部よりも若干低い位置に設けられており、建物Ａの土台近傍に取り付けられた支持部３ｂと、複数の脚部３ｃとによって前記床板部３ａが支持されている。
なお、この縁台３の下部には、前記床板部３ａと地面５との間に空間が形成されるので、この空間を縁台３下の収納部３ｄとして用いても良い。例えば、図示はしないが棚等を設置して機能的な収納部３ｄとして用いることが好ましい。
また、上述した前記バルコニー２の下部の収納部２ｆと、この縁台３の下部の収納部３ｄとが設けられることによって、例えば、庭先に物置等を設置する必要が無く、敷地に対して許される範囲内で建物Ａの建築面積を少しでも広く確保することができるようになるので望ましい。
【００２９】
なお、本実施の形態の建物Ａの間取りは以上のように構成されているが、これに限られるものではなく、本発明の趣旨を逸脱しない範囲で適宜変更可能であることは言うまでもない。
また、前記上階部１０および下階部２０のいずれかに設置する壁体として、制振機能を有する制震壁を設けることが望ましい。
【００３０】
以上のように本実施の形態によれば、建物Ａの外壁面の一部が他の外壁面よりも室内側に後退した凹部１を有しているので、互いに対向して凹部１を構成する二つの外壁面１ａ、１ａどうし間に縁台３を配置することができる。これによって、敷地に対して許される範囲内で建物Ａを建築する際にも、前記縁台３を設けることが可能となる。
また、前記凹部１に、建物Ａの上階部１０と下階部２０とに跨るように外壁から室外へ張り出したバルコニー２が設けられているので、このバルコニー２が、下部に位置する前記縁台３の屋根として機能する。
すなわち、前記バルコニー２および縁台３は、双方とも前記凹部１に設けられているが、一方の前記バルコニー２は前記上階部１０と下階部２０とに跨るように外壁から室外へ張り出しており、他方の前記縁台３は前記互いに対向する二つの外壁面１ａ、１ａどうし間に配置されているので、バルコニー２に対して前記縁台３は建物Ａ側に奥まった状態となっている。これによって、降雨時における縁台３への雨水の浸入を低減することができ、雨仕舞の向上を図ることが可能となる。
さらに、バルコニー２に対して前記縁台３は建物Ａ側に奥まった状態となっていることによって、夏の高度の高い太陽の日射を前記バルコニー２よって効果的に遮光することができるので、前記縁台３および室内の快適性を向上することが可能となる。
そして、前記バルコニー２の下部に形成された空間を収納部２ｆとすることで、前記上階部１０と下階部２０とに跨るように設けられたバルコニー２の下部を有効に利用することが可能となる。
【図面の簡単な説明】
【００３１】
【図１】本発明の建物の上階部を示す平面図である。
【図２】本発明の建物の下階部を示す平面図である。
【図３】上階部および下階部にわたる外壁面に形成された凹部周辺の構成を示す側断面図である。
【符号の説明】
【００３２】
Ａ  建物
１  凹部
２  バルコニー
３  縁台
１０  上階部
２０  下階部
【図１】
2007092415.tif 000003
【図２】
2007092415.tif 000004
【図３】
2007092415.tif 000005